(57)【要約】      （修正有）【課題】分品点数が少なく簡単に組み立てることが出来、かつ一層のコンパクト化を図ることが出来るローラユニットを提供する。  【解決手段】ローラユニット１の付勢手段４をＵ字形状に折り曲げ形成された位置決め部６ａと、一対の自由端６ａ側をローラ２の対応する軸部２ａと係合するように位置決め部６ａが形成する水平面に対して垂直方向へ折り曲げ形成された一対のバネ部６ｃとを有するバネ部材６から構成した。【選択図】図１
0003116553.tif 000002
【実用新案登録請求の範囲】
【請求項１】
ローラを回動自在かつ上下動自在に支承するハウジングと、このハウジング内に支承され、前記ローラを一方向へ常時付勢する付勢手段とを有するローラユニットにおいて、
前記付勢手段は、前記ハウジング内に位置決め支承されるＵ字形状に折り曲げ形成された位置決め部と、該位置決め部の一対の自由端側を前記ローラの対応する軸部と係合するように前記Ｕ字形状の位置決め部が形成する水平面に対して垂直方向へ折り曲げ形成された一対のバネ部とを有するバネ部材からなることを特徴とするローラーユニット。
【請求項２】
前記ハウジングには、前記バネ部材の自由端を位置決め支承する突起が形成され、該突起には前記ローラの軸部が嵌挿するガイド溝が形成されていることを特徴とする請求項１に記載のローラユニット。
【請求項３】
前記バネ部はＵ字形状に折り曲げ形成されていることを特徴とする請求項１に記載のローラユニット。
【請求項４】
前記バネ部は環状に折り曲げ形成されていることを特徴とする請求項１に記載のローラユニット。
【考案の詳細な説明】
【技術分野】
【０００１】
この考案は、紙幣等の紙葉類を搬送する紙葉類搬送路に配設され、当該紙葉類搬送路内を走行する紙葉類の円滑な搬送を図るローラユニットの改良に関する。
【背景技術】
【０００２】
従来から、駆動ローラに圧接するローラ（従動ローラ）のローラユニットとしては、各種のものが提供されている。
【０００３】
このような、ローラユニットは、一般的に従動ローラを回動自在かつ上下動自在に支承するハウジングと、このハウジング内に支承された従動ローラを駆動ローラ側へ常時付勢する付勢手段とから構成されている。
【０００４】
一方、このようなローラユニットの従来例としては、特開２００２−２１１７８４号に開示されているものがある。
【０００５】
この特開２００２−２１１７８４号に開示されたローラユニットでは、その図４に示すように、従動ローラ４を駆動ローラ３側に付勢する付勢手段として、コイルスプリング７を使用し、その一対の自由端７ｃを従動ローラ４の各対応する軸１３に係合させて、従動ローラ４を駆動ローラ側に常時付勢するようにしている。
【特許文献１】特開２００２−２１１７８４号
【考案の開示】
【考案が解決しようとする課題】
【０００６】
ところで、上述した特開２００２−２１１７８４号に開示された従来のローラユニットでは、その図４から明らかなように、コイルスプリング７からなる付勢手段を使用しているため、このコイルスプリング７の変位あるいは移動を阻止するため、当該コイルスプリング７のコイル部７ｂを嵌挿させて支承するための軸１７が必要であり、このため全体の部品点数が多くなるばかりでなく、この軸１７を支承させるためのコイルスプリング収納部１５をハウジング１０内に形成しなければならないので、ハウジング１０の前後方向の長さが長くなって一層の小型化、コンパクト化を図ることが出来ない虞があリ、また組立て作業も煩雑であった。
【０００７】
この考案は、上述した事情に鑑み、分品点数が少なく簡単に組み立てることが出来、かつ一層のコンパクト化を図ることが出来るローラユニットを提供することを目的とする。
【課題を解決するための手段】
【０００８】
上述した、課題を解決するため、請求項１に記載した考案では、ローラを回動自在かつ上下動自在に支承するハウジングと、このハウジング内に支承され、前記ローラを一方向へ常時付勢する付勢手段とを有するローラユニットにおいて、前記付勢手段は、前記ハウジング内に位置決め支承されるＵ字形状に折り曲げ形成された位置決め部と、該位置決め部の一対の自由端側を前記ローラの対応する軸部と係合するように前記Ｕ字形状の位置決め部が形成する水平面に対して垂直方向へ折り曲げ形成された一対のバネ部とを有するバネ部材からなることを特徴としている。
【０００９】
また請求項２に記載した考案では、請求項１に記載のローラユニットにおいて、前記ハウジングには、前記バネ部材の自由端を位置決め支承する突起が形成され、該突起には前記ローラの軸部が嵌挿するガイド溝が形成されていることを特徴としている。
【００１０】
また請求項３に記載した考案では、請求項１に記載のローラユニットにおいて、前記バネ部はＵ字形状に折り曲げ形成されていることを特徴としている。
【００１１】
また請求項４に記載した考案では、請求項１に記載のローラユニットにおいて、前記バネ部は環状に折り曲げ形成されていることを特徴としている。
【考案の効果】
【００１２】
上述した、ローラユニットによると、付勢手段として、ハウジング内に位置決め支承されるＵ字形状に折り曲げ形成された位置決め部と、該位置決め部の一対の自由端側を前記ローラの対応する軸部と係合するように前記Ｕ字形状の位置決め部が形成する水平面に対して垂直方向へ折り曲げ形成された一対のバネ部とを有するバネ部材を使用し、従来の如く付勢手段としてコイルスプリングを使用しないようにしたため、そのコイル部を位置決め支承する軸が不要となって部品点数が少なくなるばかりでなく、コイル部が嵌挿する軸をハウジング内に設けるスペースが不要となるため、ハウジング全体をコンパクトに仕上げ、このためローラユニット全体のコンパクト化を一層促進することが出来る。また、本願のローラユニットでは、ハウジング内へ向け、一方向からバネ部材及びローラを押し込んで取り付けるので、その組立て作業が極めて簡単となる。  
【考案を実施するための最良の形態】
【００１３】
以下、この考案に係るローラユニットの一実施例を詳述する。
【００１４】
図１はこの考案に係るローラユニット１を示す概念斜視図である。
【００１５】
このローラユニット１も従来と同様にローラ２を回動自在かつ上下動自在に支承するハウジング３と、このハウジング３内に支承され、前記ローラ２を一方向（この場合は図面下方向）へ常時付勢する付勢手段４とから構成されている。
【００１６】
このうち、付勢手段４は、図２の斜視図で示すように、一本の弾性体の針金を３箇所で折り曲げて形成した単純な形状のバネ部材６から構成されている。
【００１７】
このバネ部材６は、図１に示すハウジング３内の上面で、前記ローラ２と対向する位置に位置決め支承されるＵ字形状に折り曲げられた第１の折り曲げ部を構成する位置決め部６ａと、この位置決め部６ａが形成する水平面に対して垂直方向であり、かつその一対の自由端６ｂが図１で示す前記ローラ２の中心に突出形成された一対の軸部２ａ側へそれぞれ折り曲げられた第２及び第３の折り曲げ部を構成する一対のバネ部６ｃとから構成されている。
【００１８】
このような単純な形状のバネ部材６からなる付勢手段によると、図３で示すように、ローラ２の中心に突出形成された一対の軸部２ａ側へそれぞれ折り曲げられた第２及び第３の折り曲げ部を構成する一対のバネ部６ｃの自由端６ｂが、対応するローラ２の各軸部２ａにそれぞれ係合し、当該ローラ２を常時下方へ弾発的に付勢することとなる。
【００１９】
一方、図４に示すように、ハウジング３の両側方には一対の舌片からなる軸受部３ａが形成され、この軸受部３ａには、それそれローラ２の軸部２ａ（図３）を上下動自在に支承する上下方向に沿って形成された長孔の軸受け孔３ｂが形成されている。
【００２０】
また図４で示すように、ハウジング３の上縁３ｃには、当該ハウジング３を図示せぬ紙葉類搬送路のガイド壁に取り付けるための取付け爪が嵌着する一対の切り欠孔３ｄが形成されている。
【００２１】
次に、上述したローラユニット１の組立て手順について詳述し、併せて構成をより詳細に説明する。
【００２２】
図５に示すように、ハウジング３の底面側を表にし、その後矢印Ａで示すように、バネ部材６のＵ字形状に折り曲げられた第１の折り曲げ部を構成する位置決め部６ａをハウジング３内の上面３ｅに（図５では底面側に位置する部分である）位置決め載置する。
【００２３】
その際、第２及び第３の折り曲げ部を構成する一対のバネ部６ｃの自由端６ｂが上方に突出するが、この自由端６ｂをハウジング３の両側方を形成する軸受部３ａに形成された断面台形状の一対の突起３ｆの段部３ｇに係合させ、バネ部６ｃの一対の自由端６ｂをそれぞれ一時係止させる。
【００２４】
その後、この突起３ｆの中間部に形成された断面略円弧形状のガイド溝３ｈに沿ってローラ２の一対の軸部２ｂを矢印Ｂのように軸受部３ａへ押し込むと、一対の軸受部３ａがその幅方向へ沿って拡幅し、これにより図６、図７で示すように、ローラ２の一対の軸部２ａが軸受け孔３ｂ内に嵌着してローラユニット１が完成する。
【００２５】
即ち、上述したローラユニット１では、ハウジング３内へ向け、一方向、即ち上方から下方へ向け、バネ部材６、ローラ２を押し込めればよいので、その組立てが極めて簡単となる。
【００２６】
なお、図６で示すように、このバネ部材６のＵ字形状に折り曲げられた第１の折り曲げ部を構成する位置決め部６ａはハウジング３内の上面３ｅに位置決め載置されている。
【００２７】
従って、上述したローラユニット１によると、付勢手段４として、ハウジング３内のローラ２と対向する位置に位置決め支承されるＵ字形状に折り曲げられた位置決め部６ａと、この位置決め部の一対の自由端６ｂを、ローラ２の対応する軸部２ａ側へそれぞれＵ字形状に折り曲げ、かつ対応する軸部２ａに一対の自由端６ｂがそれぞれ係合する一対のバネ部６ｃとからなるバネ部材６を使用するようにしたから、従来の如く複雑な構造のコイルスプリングを使用しないので、コイル部を嵌挿させるための軸が不要となり部品点数を少なくすることが出来るばかりでなく、コイル部を嵌挿させるための軸をハウジング内に設けるスペースが不要となるため、ハウジング全体をコンパクトに仕上げてローラユニット全体の小型化、小スペース化を一層促進することが出来ることとなる。
【００２８】
なお、上記実施例では、図２に示すように、バネ部６ｃを側面から見てＵ字形状に折り曲げるように形成したが、この考案は上記実施例に限定されることなく図８で示すように、バネ部６ｃを側面から見て環状、即ち円形に折り曲げるようにしても良い。
【００２９】
なお、図６で符号３ｊは冶具嵌挿ガイド溝で、この冶具嵌挿ガイド溝３ｊ内にはバネ部材６をハウジング３内に自動装着させる際に、棒状あるいは舌片状の冶具が嵌挿してバネ部６ｃを押圧し、それにより、図５に示す、バネ部材６の自由端６ｂをハウジング３の両側方を形成する軸受部３ａに形成された断面台形状の一対の突起３ｆの段部３ｇに係合させ、バネ部６ｃの一対の自由端６ｂをそれぞれ一時係止させる。
【００３０】
また図６で符号３ｋは、一対のバネ部６ｃが互いに接触することを妨げる邪魔板である。
【産業上の利用可能性】
【００３１】
この考案は、分品点数が少なく、簡単に組み立てられることが出来、かつ一層のコンパクト化を図ったローラユニットに適している。    
【図面の簡単な説明】
【００３２】
【図１】図１はこの考案に係るローラユニットの概念斜視図。
【図２】図２は付勢手段の概念斜視図。
【図３】図３は付勢手段の機能を示す概念斜視図。
【図４】図４はハウジングの概念斜視図。
【図５】図５はこの考案に係るローラユニットの組立て分解斜視図。
【図６】図６はローラユニットの組み付け状態を示す斜視図。
【図７】図７はローラユニットの組み付けじょうたいょ示す斜視図。
【図８】図８は付勢手段の他の実施例を示す概念斜視図。
【符号の説明】
【００３３】
１…ローラーユニット
２…ローラ
３…ハウジング
３ｆ…突起
３ｈ…ガイド溝
４…付勢手段
６…バネ部材
６ａ…位置決め部
６ｂ…一対の自由端側
６ｃ…一対のバネ部
【図１】
0003116553.tif 000003
【図２】
0003116553.tif 000004
【図３】
0003116553.tif 000005
【図４】
0003116553.tif 000006
【図５】
0003116553.tif 000007
【図６】
0003116553.tif 000008
【図７】
0003116553.tif 000009
【図８】
0003116553.tif 000010